(57)【要約】  【課題】確実に識別手段の移動方向を判断することができる識別手段管理装置を提供  【解決手段】ＲＦＩＤタグ７が設置された管理カード９を有する人が廊下から部屋の中へ入る場合、ＲＦＩＤタグ７は、発信部１３−１が発信する輻射波によって駆動され、検知波を発信する。検知波は、第２のゲート柱５に設置された受信部１５−１によって受信される。さらに、管理カード９を有する人が第１のゲート柱３と第２のゲート柱５との間を通過し部屋の中へ入ると、ＲＦＩＤタグ７は、発信部１３−２が発信する輻射波によって駆動され、検知波を発信する。検知波は、第２のゲート柱５に設置された受信部１５−２によって受信される。受信部１５−１、２がどのような順番でＲＦＩＤタグ７が発信する検知波を受信したのかを解析することによって、管理カード９を有する人がどの方向にゲート２を通過したのかを確実に判断することができる。【選択図】    図１
2009271565.tif 000002
【特許請求の範囲】
【請求項１】
輻射波を受信することによって検知波を発信する識別手段について、一の空間と他の一の空間との間における前記識別手段の移動を管理する識別手段管理装置において、
前記輻射波を発信する発信手段、
前記識別手段から前記検知波を受信する受信手段、
を有する識別手段管理装置であって、
前記識別手段管理装置は、
前記一の空間側、及び、前記他の一の空間側のそれぞれに少なくとも一の前記発信手段を有し、
前記一の空間側に配置された前記発信手段が発信する前記輻射波の到達領域のうち前記識別手段の検知が可能な領域である検知領域と、前記他の一の空間側に配置された前記発信手段の前記検知領域とが互いに重ならないこと、
を特徴とする識別手段管理装置。
【請求項２】
請求項１に係る識別手段管理装置において、
前記発信手段は、さらに、
前記輻射波の発信方向と、前記一の空間と前記他の一の空間との境界面とは、平行とならないように、前記輻射波を発信すること、
を特徴とする識別手段管理装置。  
【請求項３】
請求項２に係る識別手段管理装置において、
前記発信手段は、さらに、
前記発信方向に向かって発信された前記輻射波の前記検知領域と前記境界面とが重ならない方向に、前記輻射波を発信すること、
を特徴とする識別手段管理装置。
【請求項４】
請求項３に係る識別手段管理装置において、さらに、
前記発信手段は、
所定の期間毎に前記輻射波を送信し、
前記一の空間側の前記発信手段及び前記他の一の空間側の発信手段は、
前記識別手段が、前記一の空間側の前記発信手段が発信した輻射波を受信してから、前記他の一の空間側の前記発信手段が発信した輻射波を受信するまでの時間が、前記所定の期間以上となるように、前記輻射波を発信すること、
を特徴とする識別手段管理装置。
【請求項５】
請求項１〜請求項４に係る識別手段管理装置において、さらに、
一の前記受信部が前記識別手段からの前記検知波を受信し、その後、当該一の受信部が存在する領域とは異なる領域に存在する他の一の受信部が当該識別手段からの前記検知波を受信したと判断すると、前記一の受信部から前記他の一の受信部の方向に、前記識別装置が移動したと判断する識別手段移動方向判断装置、
を有する識別手段管理装置。
【請求項６】
輻射波を受信することによって検知波を発信する識別手段について、一の空間と他の一の空間との間における前記識別手段の移動を判断する識別手段移動方向判断装置において、
識別手段から検知波を受信したことを示す検知波受信情報を獲得する検知波受信情報獲得手段、
一の前記受信部が前記識別手段からの前記検知波を受信したことを示す検知波受信情報を獲得し、その後、当該一の受信部が存在する領域とは異なる領域に存在する他の一の受信部が当該識別手段からの前記検知波を受信したを示す検知波受信情報を獲得したと判断すると、前記一の受信部から前記他の一の受信部の方向に、前記識別装置が移動したと判断する移動方向判断手段、
を有する識別手段管理装置。
【請求項７】
輻射波を受信することによって検知波を発信する識別手段について、一の空間と他の一の空間との間における前記識別手段の移動を検知するゲート装置において、
前記輻射波を発信する発信手段、
前記識別手段から前記検知波を受信する受信手段、
を有するゲート装置であって、
前記ゲート装置は、
前記発信手段を複数有し、
前記一の空間側、及び、前記他の一の空間側のそれぞれに少なくとも一の前記発信手段を有し、
前記一の空間側に配置された前記発信手段が発信する前記輻射波の到達領域のうち前記識別手段の検知が可能な領域である検知領域と、前記他の一の空間側に配置された前記発信手段の前記検知領域とが互いに重ならないこと、
を特徴とするゲート装置。
【請求項８】
請求項７に係るゲート装置において、
前記発信手段は、さらに、
前記輻射波の発信方向と、前記一の空間と前記他の一の空間との境界面とは、平行とならないように、前記輻射波を発信すること、
を特徴とするゲート装置。  
【請求項９】
請求項８に係るゲート装置において、
前記発信手段は、さらに、
前記発信方向に向かって発信された前記輻射波の前記検知領域と前記境界面とが重ならない方向に、前記輻射波を発信すること、
を特徴とするゲート装置。
【請求項１０】
請求項９に係るゲート装置において、さらに、
前記発信手段は、
所定の期間毎に前記輻射波を送信し、
前記一の空間側の前記発信手段及び前記他の一の空間側の発信手段は、
前記識別手段が、前記一の空間側の前記発信手段が発信した輻射波を受信してから、前記他の一の空間側の前記発信手段が発信した輻射波を受信するまでの時間が、前記所定の期間以上となるように、前記輻射波を発信すること、
を特徴とするゲート装置。
【発明の詳細な説明】
【技術分野】
【０００１】
本発明は、識別手段の移動を管理する識別手段管理装置であって、特に、識別手段の移動方向を判断するものに関する。
【背景技術】
【０００２】
（１）  従来のゲートシステムの一例である販売在庫管理システム（特開２００３−１２８２１３）を図１５に基づき説明する。販売在庫管理システムＰＡ１００は、スーパーマーケットのバックヤード側と売場（店舗）側との間の出入り口に無線タグとしてのＲＦＩＤタグＰＡ１０３、ＰＡ１０５に書き込まれた情報を読み取るタグリーダＰＡ１０１とアンテナゲートＰＡ１０２とが設置されている。
【０００３】
ＲＦＩＤタグＰＡ１０３は、籠車ＰＡ１０４に添付されていて、籠車ＰＡ１０４に載せられた商品ＰＡ１０８に関する商品情報が書き込まれている。また、ＲＦＩＤタグＰＡ１０５は、加工品を運ぶ加工品専用カートＰＡ１０６に載せられた加工品ＰＡ１０７にバーコードラベルＰＡ１０９と一緒に添付されている。
【０００４】
そして、上記したアンテナゲートＰＡ１０２を通過し、タグリーダＰＡ１０１で読み取られた商品情報は、店舗サーバＰＡ１１０に無線送信され、ここで店舗内における在庫管理など様々な情報管理が行われている。
【０００５】
【特許文献１】特開２００３−１２８２１３
【発明の開示】
【発明が解決しようとする課題】
【０００６】
前述の販売在庫管理システムＰＡ１００には、次のような改良すべき点がある。販売在庫管理システム１００では、タグリーダＰＡ１０１は、アンテナゲートＰＡ１０２を通過したＲＦＩＤタグＰＡ１０５から情報を読み取る。初期条件として、ＲＦＩＤタグＰＡ１０５を付した物品が、アンテナゲートＰＡ１０２を設置した部屋の中に存在するのか、外に存在するのかの情報を与えれば、後は、当該アンテナゲートＰＡ１０２をＲＦＩＤタグＰＡ１０５が何回通過したのかを判断すれば、ＲＦＩＤタグＰＡ１０５を付した物品が、部屋の中に存在するのか、外に存在するのかを判断することができる。
【０００７】
しかしながら、アンテナゲートＰＡ１０２が用いるＲＦ波は発信点から拡散するため、場合によっては、アンテナゲートＰＡ１０２を通過せずに、アンテナゲートＰＡ１０２の近傍を通っただけでも、アンテナゲートＰＡ１０２がＲＦＩＤタグＰＡ１０５の存在を捕捉する場合があり得る。つまり、アンテナゲートＰＡ１０２がＲＦＩＤタグＰＡ１０５を通過せずとも、アンテナゲートＰＡ１０２がＲＦＩＤタグＰＡ１０５を検出する場合がある。このため、ＲＦＩＤタグＰＡ１０５を付した物品の管理を正確に行えない、という改良すべき点がある。
【０００８】
そこで、本発明は、確実に識別手段の移動方向を判断することができる識別手段管理装置を提供することを目的とする。
【課題を解決するための手段】
【０００９】
本発明に関する課題を解決するための手段及び発明の効果を以下に示す。
【００１０】
本発明では、前記一の空間側、及び、前記他の一の空間側のそれぞれに少なくとも一の前記発信手段を有し、前記一の空間側に配置された前記発信手段が発信する前記輻射波の到達領域のうち前記識別手段の検知が可能な領域である検知領域と、前記他の一の空間側に配置された前記発信手段の前記検知領域とが互いに重ならないこと、を特徴とする。
【００１１】
これにより、位置の空間から他の一の空間への識別手段の移動を確実に判断することができる。
【００１２】
本発明では、前記発信手段は、さらに、前記輻射波の発信方向と、前記一の空間と前記他の一の空間との境界面とは、平行とならないように、前記輻射波を発信すること、を特徴とする。
【００１３】
これにより、位置の空間から他の一の空間への識別手段の移動を確実に判断することができる。
【００１４】
本発明では、前記発信手段は、さらに、前記発信方向に向かって発信された前記輻射波の前記検知領域と前記境界面とが重ならない方向に、前記輻射波を発信すること、を特徴とする。
【００１５】
これにより、位置の空間から他の一の空間への識別手段の移動を確実に判断することができる。
【００１６】
本発明では、さらに、前記発信手段は、所定の期間毎に前記輻射波を送信し、前記一の空間側の前記発信手段及び前記他の一の空間側の発信手段は、前記識別手段が、前記一の空間側の前記発信手段が発信した輻射波を受信してから、前記他の一の空間側の前記発信手段が発信した輻射波を受信するまでの時間が、前記所定の期間以上となるように、前記輻射波を発信すること、を特徴とする。
【００１７】
これにより、一の空間から他の一の空間への識別手段の移動を確実に判断することができる。
【００１８】
本発明は、さらに、一の前記受信部が前記識別手段からの前記検知波を受信し、当該一の受信部が存在する領域とは異なる領域に存在する他の一の受信部が当該識別手段からの前記検知波を受信したと判断すると、前記一の受信部から前記他の一の受信部の方向に、前記識別装置が移動したと判断する移動方向判断手段、を有する。
【００１９】
これにより、一の空間から他の一の空間への識別手段の移動を確実に判断することができる。
【００２０】
ここで、請求項に記載されている要素と実施例における要素との対応関係を示す。識別手段管理装置はゲートシステム１に、識別手段はＲＦＩＤタグ７に、発信手段は発信部１３−１〜４、発信受信部２３−１〜４に、受信手段は受信部１５−１、１５−２、３５−１、３５−２に、識別手段移動方向判断装置は管理装置２１に、ゲート装置はゲート２に、それぞれ対応する。
【００２１】
検知波受信情報獲得手段はＣＰＵ２１１、メモリ２１２及び通信回路２１８に、識別手段移動方向判断手段はＣＰＵ２１１及びメモリ２１２に、それぞれ対応する。
【００２２】
移動方向判断手段はステップＳ５１１、Ｓ５１３、Ｓ５２１〜Ｓ５２５、Ｓ５３１〜Ｓ５５７、Ｓ５７１〜Ｓ５８９の処理を実行する。
【発明を実施するための最良の形態】
【００２３】
本発明におけるゲート装置の実施例を以下において説明する。
【実施例１】
【００２４】
1.概要
本発明に係るゲートシステム１の概要を図１に基づいて説明する。
【００２５】
（１）ＲＦＩＤタグ７が設置された管理カード９を有する人が、廊下から部屋の中へ入ろうとした場合、ＲＦＩＤタグ７は、第１のゲート柱３に設置された発信部１３−１が発信する輻射波によって駆動され、検知波を発信する。この検知波は、第２のゲート柱５に設置された受信部１５−１によって受信される。さらに、管理カード９を有する人が、第１のゲート柱３と第２のゲート柱５との間を通過し、部屋の中へ入ると、ＲＦＩＤタグ７は、発信部１３−２が発信する輻射波によって駆動され、検知波を発信する。この検知波は、第２のゲート柱５に設置された受信部１５−２によって受信される。
【００２６】
（２）一方、管理カード９を有する人が、部屋の中から廊下へ出ようとした場合、ＲＦＩＤタグ７は、第１のゲート柱３に設置された発信部１３−２が発信する輻射波によって駆動され、検知波を発信する。この検知波は、第２のゲート柱５に設置された受信部１５−２によって受信される。さらに、管理カード９を有する人が、第１のゲート柱３と第２のゲート柱５との間を通過し、部屋の外へ出て行くと、ＲＦＩＤタグ７は、発信部１３−１が発信する輻射波によって駆動され、検知波を発信する。この検知波は、第２のゲート柱５に設置された受信部１５−１によって受信される。
【００２７】
（３）このように、受信部１５−１、１５−２がどのような順番でＲＦＩＤタグ７が発信する検知波を受信したのかを解析することによって、ＲＦＩＤタグ７が設置された管理カード９を有する人が、どの方向に第１のゲート柱３と第２のゲート柱５との間を通過したのか、つまり、廊下から部屋へ入っていったのか、部屋から廊下へ出て行ったのかを確実に判断することができる。
【００２８】
2.  ゲートシステム１の構成
ゲートシステム１の構成を図１を用いて説明する。ゲートシステム１は、ゲート２及び管理装置２１（図示せず）を有している。また、ゲート２は、第１のゲート柱３、第２のゲート柱５を有している。ゲートシステム１を用いることによって、ＲＦＩＤタグ７が設置された管理カード９を有する人がどの方向にゲート２を通過したのか確実に把握することができる。
【００２９】
第１のゲート柱３及び第２のゲート柱５は、例えば、部屋の出入口に設置される。これにより、ゲート２を用いることによって、室内空間である部屋と室外空間である廊下との間における人の移動を、ＲＦＩＤタグ７が設置された管理カード９の移動を介して管理することができる。
【００３０】
本実施形態におけるＲＦＩＤタグ７は、いわゆるパッシブ型を用いている。また、ＲＦＩＤタグ７を駆動する輻射波及びＲＦＩＤタグ７が発信する検知波として、ＵＨＦ波を用いている。
【００３１】
2.1.  第１のゲート柱３の構成
第１のゲート柱３の構成を図１のＸ−Ｘ断面を示した図２に基づいて説明する。第１のゲート柱３は柱状体であり、その断面は四角形の二つの角を切り落とした五角形である。第１のゲート柱３は、２つの発信部１３−１、１３−２を有している。
【００３２】
発信部１３−１、１３−２は、四角形の二つの角を切り落とした部位に形成される斜面Ｌ１、Ｌ２のそれぞれに配置される。また、発信部１３−１、１３−２は、第２のゲート柱５に対向して設けられる。さらに、発信部１３−１は、第１のゲート柱３及び第２のゲート柱５の断面の中心を通る部屋と廊下との境界面Ｐ１に対して、廊下側に配置される。同様に、発信部１３−２は、部屋側に配置される。
【００３３】
このように発信部１３−１、１３−２を配置することによって、発信部１３−１、１３−２のそれぞれが発信する輻射波の発信方向ａ１、ａ２と、境界面Ｐ１とは平行でない。つまり、発信部１３−１、１３−２が発信する輻射波の発信方向ａ１、ａ２は、境界面Ｐ１に対して、それぞれ、角度α、角度βを有することになる。なお、本実施形態においては、発信部１３−１、１３−２は、境界面Ｐ１に対して対象に配置される。よって、角度α＝角度βとなる。
【００３４】
また、発信部１３−１、１３−２が発信方向ａ１、ａ２のそれぞれに向かって発信する輻射波の到達領域のうちＲＦＩＤタグ７の検知が可能な領域である検知領域Ｒ１、Ｒ２は、境界面Ｐ１と重ならない。さらに、発信部１３−１、１３−２がそれぞれ発信する輻射波の検知領域Ｒ１、Ｒ２は、互いに重ならない。
【００３５】
なお、本実施形態においては、角度α（＝β）を約１５度としている。
【００３６】
また、発信部１３−１、１３−２は、管理装置２１と接続され、互いに情報の送受信が可能となっている。
【００３７】
2.2.  第２のゲート柱５の構成
第２のゲート柱５の構成を図２に基づいて説明する。第２のゲート柱５は柱状体であり、その断面は四角形の二つの角を切り落とした五角形である。第２のゲート柱５は、２つの受信部１５−１、１５−２を有している。
【００３８】
受信部１５−１、１５−２は、四角形の二つの角を切り落とした部位に形成される斜面Ｌ３、Ｌ４のそれぞれに配置される。また、受信部１５−１、１５−２は、第１のゲート柱３に対向して設けられる。さらに、受信部１５−１は、発信部１３−１に対向するように設けられる。同様に、受信部１５−２は、発信部１３−２に対向するように設けられる。さらに、受信部１５−１は、境界面Ｐ１に対して廊下側に配置される。同様に、受信部１５−２は、部屋側に配置される。
【００３９】
このように受信部１５−１を配置することによって、廊下側に位置するＲＦＩＤタグ７が発信した輻射波を、廊下側に配置した受信部１５−１によって容易に検知することができる。受信部１５−２についても、同様である。
【００４０】
なお、受信部１５−１、１５−２は、管理装置２１と接続され、互いに情報の送受信が可能となっている。
【００４１】
2.3.  管理装置２１のハードウェア構成
管理装置２１のハードウェア構成を図３に基づいて説明する。管理装置２１は、ＣＰＵ２１１、メモリ２１２、ハードディスク２１３、キーボード２１４、マウス２１５、ディスプレイ２１６、光学式ドライブ２１７、及び通信制御回路２１８を有している。
【００４２】
ＣＰＵ２１１は、ハードディスク２１３に記録されているオペレーティング・システム（ＯＳ）、ＲＦＩＤタグ管理プログラム等その他のアプリケーションに基づいた処理を行う。メモリ２１２は、ＣＰＵ２１１に対して作業領域を提供する。ハードディスク２１３は、オペレーティング・システム（ＯＳ）、ＲＦＩＤタグ管理プログラム等その他のアプリケーション及び各種データを記録保持する。また、ハードディスク２１３は、入退室ログを記録保持する。入退室ログについては後述する。
【００４３】
キーボード２１４、マウス２１５は、ユーザ等による外部からの操作を受け付ける。ディスプレイ２１６は、ＯＳやアプリケーションのユーザインターフェイス等を表示する。
【００４４】
光学式ドライブ２１７は、ＲＦＩＤタグ管理プログラムが記録されている光学式メディア２１０からＲＦＩＤタグ管理プログラムを、また、他の光学式メディアからその他のアプリケーションのプログラムを読み取る等、光学式メディアからのデータの読み取りを行う。通信回路２１８は、受信部１５−１、１５−２からの情報の受信を含むネットワークを介した情報の送受信を行う。
【００４５】
3.  入退室ログ
ハードディスク２１３が記録保持する入退室ログを図４を用いて説明する。入退室ログは、ゲートが設置されている部屋や領域への人の入室、退室状況を記録したデータである。
【００４６】
入退室ログは、識別ＩＤ情報列Ｃ４１、入退室時間列Ｃ４３、及び入退室状況列Ｃ４５を有している。識別ＩＤ情報列Ｃ４１には、入退室を行った人が有する管理カード９に設置されているＲＦＩＤタグ７の識別ＩＤ情報を、入退室時間列Ｃ４３には、入退室を行った時間を、入退室状況列Ｃ４５には、管理カード９を有する人が、入室したのたのか、退室したのか、といった入退室の状況を、それぞれ記述する。
【００４７】
図４に示す入退室ログのレコード１は、識別ＩＤ情報「０００１」であるＲＦＩＤタグ７が設置された管理カード９を有する人が、時間「２００８年１月１５日１３時４５分３０秒００」に、ゲートが設置されている部屋から「退室」した場合を示している。
【００４８】
4.  ゲートシステム１の動作
ゲートシステム１の動作を図５のシーケンス図を用いて説明する。図５に示すように、管理装置２１のＣＰＵ２１１は、管理プログラムの起動と共に、タイマー回路による計時を開始し（Ｓ５０１）、Ｔ０秒経過したと判断すると（Ｓ５０３）、発信部１３−１、１３−２に対して発信命令を送信する（Ｓ５０５）。例えば、ＵＨＦ波を用いるＲＦＩＤタグ７であれば、ＣＰＵ２１１は、Ｔ０秒として、０．４秒を用いる。
【００４９】
発信部１３−１及び発信部１３−２は、それぞれ、発信命令を受信すると（Ｓ１３０１）、輻射波を発信する（Ｓ１３０３）。
【００５０】
ＲＦＩＤタグ７は、輻射波を受信し（Ｓ７０１）、検知波Ｗ１を発信する（Ｓ７０３）。ＲＦＩＤタグ７は、検知波Ｗ１に自己の識別ＩＤ情報を含める。
【００５１】
受信部１５−１若しくは受信部１５−２は、ＲＦＩＤタグ７からの検知波Ｗ１を受信すると（Ｓ１５０１）、受信した検知波Ｗ１からＲＦＩＤタグ７の識別ＩＤ情報を抽出する（Ｓ１５０３）。受信部１５−１若しくは受信部１５−２は、自らを特定する受信部特定情報、及び、ＲＦＩＤタグ７を特定する識別ＩＤ情報を含む検知波受信情報を、管理装置２１へ送信する（Ｓ１５０５）。
【００５２】
そして、管理装置２１のＣＰＵ２１１は、検知波受信情報を受信すると（Ｓ５１１）、入退室判断処理を実行する（Ｓ５１３）。
【００５３】
また、管理装置２１のＣＰＵ２１１は、タイマー回路による計時により（Ｓ５２１）、所定の時間Ｔ１秒経過したと判断すると（Ｓ５２３）、管理テーブル維持管理処理を実行する（Ｓ５２５）。
【００５４】
入退室判断処理（Ｓ５１３）及び管理テーブル維持管理処理（Ｓ５２５）については後述する。
【００５５】
5.  管理装置２１の動作
5.1.  管理テーブル
管理装置２１は、管理テーブルを用いて入退室判断処理を実行する。ここで、管理テーブルについて説明する。管理テーブルは、ＲＦＩＤタグ７の移動、つまり、管理カード９を有する人の移動方向、ひいては入退室状況を判断するためのテーブルである。管理テーブルを図６に示す。管理テーブルは、識別ＩＤ情報列Ｃ５１、取得時間列Ｃ５３、及び受信部特定情報列Ｃ５５を有している。識別ＩＤ情報列Ｃ５１には、検知波受信情報が有するＲＦＩＤタグ７の識別ＩＤ情報を、取得時間列Ｃ５３には、検知波受信情報を取得した取得時間を、受信部特定情報列Ｃ５５には、検知波受信情報が有する受信部の受信部特定情報を、それぞれ記述する。
【００５６】
図６に示す管理テーブルのレコード１は、受信部特定情報「受信部１５−１」である受信部が、識別ＩＤ情報「０００１」であるＲＦＩＤタグ７を時間「２００８年１月１５日１３時４５分３０秒００」に検知した場合を示している。
【００５７】
5.2.  入退室判断処理
管理装置２１のＣＰＵ２１１が行う入退室判断処理を図７に示すフローチャートを用いて説明する。図７に示すように、管理装置２１のＣＰＵ２１１は、受信した検知波受信情報から識別ＩＤ情報、受信部特定情報、及び検知時間を抽出し、識別ＩＤ情報を「ｘ」に、受信部特定情報を「ｐ０」に、それぞれ代入する（Ｓ５３１）。また、ＣＰＵ２１１は、受信部特定情報を受信した時間をタイマー回路から取得し、「ｔ０」に代入する（５３３）。
【００５８】
ＣＰＵ２１１は、管理テーブルの識別ＩＤ情報列Ｃ５１に「ｘ」を有するレコードを検索する（Ｓ５３５）。ＣＰＵ２１１は、対応するレコードが存在すると判断すると（Ｓ５３７）、対応するレコードを抽出レコードとして抽出する（Ｓ５３９）。ＣＰＵ２１１は、抽出レコードの受信部特定情報列Ｃ５５の値を取得し、「ｐ１」に代入する（Ｓ５４１）。
【００５９】
ＣＰＵ２１１は、「ｐ０」と「ｐ１」とが異なると判断すると（Ｓ５４３）、「ｐ０」の値が受信部１５−１に対応する受信部特定情報であり、「ｐ１」の値が受信部１５−２に対応する受信部特定情報であるか否かを判断する（Ｓ５５１）。ＣＰＵ２１１は、「ｐ０」の値が受信部１５−１に対応する受信部特定情報であり、「ｐ１」の値が受信部１５−２に対応する受信部特定情報であると判断すると（Ｓ５５１）、入退室ログの識別ＩＤ情報列Ｃ４１に「ｘ」を、入退室時間列Ｃ４３に「ｔ０」を、入退室状況列Ｃ４５に「入室」を、それぞれ記述する（Ｓ５５３）。一方、ＣＰＵ２１１は、「ｐ０」の値が受信部１５−１に対応する受信部特定情報であり、「ｐ１」の値が受信部１５−２に対応する受信部特定情報でないと判断すると（Ｓ５５１）、入退室ログの識別ＩＤ情報列Ｃ４１に「ｘ」を、入退室時間列Ｃ４３に「ｔ０」を、入退室状況列Ｃ４５に「退室」を、それぞれ記述する（Ｓ５５５）。
【００６０】
ＣＰＵ２１１は、ステップＳ５４３において「ｐ０」と「ｐ１」とが等しいと判断した場合、若しくは、ステップＳ５５３、ステップＳ５５５における入退室ログへの記述が終了すると、抽出レコードの受信部特定情報列Ｃ５１の値を「ｐ０」に、受信部特定情報列の値Ｃ５５を「ｐ０」に、取得時間列Ｃ５３の値を「ｔ０」に、それぞれ更新する（Ｓ５５７）。
【００６１】
一方、ＣＰＵ２１１は、ステップＳ５３７において対応するレコードが存在しないと判断すると、管理テーブルにおいて、識別ＩＤ情報列Ｃ５１の値が「ｘ」、受信部特定情報列の値Ｃ５５が「ｐ０」、取得時間列の値Ｃ５３が「ｔ０」であるレコードを新たに追加する（Ｓ５４５）。
【００６２】
5.3.  入退室判断処理の具体例
ここで、入退室処理の具体例を図８、図９を用いて説明する。図８に示すように、識別ＩＤ情報「００５０」のＲＦＩＤタグ７を有する管理カード９を保持する人が、輻射波の検知領域Ｒ１に進入すると、ＲＦＩＤタグ７は検知波Ｗ１を発信する。受信部特定情報「受信部１５−１」である受信部１５−１が、ＲＦＩＤタグ７が発信した検知波Ｗ１を検知したとする。この場合、受信部１５−１は、識別ＩＤ情報「００５０」、受信部特定情報「受信部１５−１」を有する検知波受信情報を管理装置２１へ送信する。管理装置２１は、検知波受信情報を受信すると、受信した時間、例えば時間「２００８年１月１５日１３時５０分３０秒００」を取得する。管理装置２１は、識別ＩＤ情報「００５０」、取得時間「２００８年１月１５日１３時５０分３０秒００」、受信部特定情報「受信部１５−１」に基づいて、図９Ａに示すように管理テーブルにレコードを追加する。図９Ａにおいては、レコード５１を追加している。なお、この段階での入退室ログは図９Ｂに示すものとする。
【００６３】
図８に戻って、管理カード９を有する人が、矢印ａ４方向へ進んでゲート２を通過し、発信部１３−１が発信する輻射波の検知領域Ｒ１を離れ、発信部１３−２が発信する輻射波の検知領域Ｒ２に進入すると、ＲＦＩＤタグ７は検知波Ｗ２を発信する。受信部特定情報「受信部１５−２」である受信部１５−２が、ＲＦＩＤタグ７が発信した検知波Ｗ２を検知したとする。この場合、受信部１５−２は、識別ＩＤ情報「００５０」、受信部特定情報「受信部１５−２」を有する検知波受信情報を管理装置２１へ送信する。管理装置２１は、検知波受信情報を受信すると、受信した時間、例えば時間「２００８年１月１５日１３時５０分３０秒８０」を取得時間として取得する。管理装置２１は、管理装置２１は、受信した検知波受信情報の識別ＩＤ情報「００５０」に基づき、管理テーブルからレコード５１を抽出し、検知波受信情報とレコード５１との識別ＩＤ情報、取得時間、受信部特定情報の値を、それぞれ比較する。
【００６４】
比較の結果、受信部特定情報の値が異なり、レコード５１の受信部特定情報の値が「受信部１５−１」、検知波受信情報の受信部特定情報の値が「受信部１５−２」であることから、ＲＦＩＤタグ７が、受信部１５−１側から受信部１５−１側へ、つまり廊下から部屋へ移動した、つまり人が部屋に入室したと判断する。
【００６５】
そこで、管理装置２１は、入退室ログに、識別ＩＤ情報「００５０」、入退室時間「２００８年１月１５日１３時５０分３０秒８０」、入退室状況「入室」であるレコードを追加する。図９Ｄでは、レコード３を追加している。
【００６６】
そして、ＣＰＵ２１１は、検知波受信情報の各値で管理テーブルのレコード５１を更新する。レコード５１が更新された管理テーブルを、図９Ｅに示す。
【００６７】
5.4.  管理テーブル維持管理処理
管理テーブル維持管理処理は、入退室の判断に用いる管理テーブルを維持管理するための処理である。
【００６８】
管理装置２１のＣＰＵ２１１が行う管理テーブル維持管理処理を図１０に示すフローチャートを用いて説明する。図１０に示すように、ＣＰＵ２１１は、管理テーブルから一のレコードをメモリ２１２へ読み込み、「ｘ」に識別ＩＤ情報列の値を、「ｔ１」に取得時間列の値を、それぞれ代入する（Ｓ５７１）。ＣＰＵ２１１は、現在時間を取得し、「ｔ０」に代入する（Ｓ５７３）。ＣＰＵ２１１は、取得時間から現在時間までの時間を「ｔ０−ｔ１」により算出し、「ｇ」に代入する（Ｓ５７７）。
【００６９】
ＣＰＵ２１１は、「ｇ」が所定の時間「Ｔ１１」よりも大きいと判断すると（Ｓ５８５）、ステップＳ５７１で取得したレコードを管理テーブルから削除する（Ｓ５８７）。
【００７０】
ＣＰＵ２１１は、管理テーブルの全てのレコードについてステップＳ５７１〜Ｓ５８７の処理を実行する（Ｓ５８９）。
【実施例２】
【００７１】
本実施例におけるゲートシステム２０の図１におけるＸ−Ｘ断面に相当する断面図を図１１に示す。前述の実施例１においては、第１のゲート柱３は、発信部１３−１、１３−２を、第２のゲート柱５は、受信部１５−１、１５−２を、それぞれ、有している。一方、本実施例においては、第１のゲート柱３は、輻射波の発信機能及び検知波の受信機能を有する発信受信部２３−１、２３−２を、発信部１３−１、１３−２が配置されていた位置に有している。また、第２のゲート柱５は、同様の発信受信部２３−３、２３−４を、受信部１５−１、１５−２が配置されていた位置に有している。
【００７２】
発信受信部２３−１、２３−２、２３−３、２３−４は、それぞれ、矢印ａ２１、ａ２２、ａ２３、ａ２４方向へ輻射波を発信する。
【００７３】
発信受信部２３−１が矢印ａ２１方向へ発信する輻射波の検知領域Ｒ２１は、境界面Ｐ１とは平行でない。また、当該検知領域Ｒ２１は、境界面Ｐ１と重ならない。発信受信部２３−２、２３−３、２３−４のそれぞれが、矢印ａ２２、ａ２３、ａ２４方向へ発信する輻射波の検知領域Ｒ２２、Ｒ２３、Ｒ２４についても、同様である。
【００７４】
また、廊下側の発信受信部２３−１、２３−３が、それぞれ、矢印ａ２１、ａ２３方向へ発信する輻射波の検知領域Ｐ２１、Ｐ２３と、部屋側の発信受信部２３−２、２３−４が、それぞれ、矢印ａ２２、ａ２４方向へ発信する輻射波の検知領域Ｐ２２、Ｐ２４とは、互いに重ならない。
【００７５】
このように、複数の方向から輻射波を発信することによって、廊下側、部屋側において発信部が一つである場合に比べて、廊下側、部屋側における輻射波の検知領域（Ｒ２１＋Ｒ２３、Ｒ２２＋Ｒ２４）を広くすることができる。よって、より確実にＲＦＩＤタグ７が設置される管理カード９を有する人の移動を管理することができる。
【実施例３】
【００７６】
本実施例におけるゲートシステム３０の図１におけるＸ−Ｘ断面に相当する断面図を図１２に示す。前述の実施例１においては、第１のゲート柱３は、発信部１３−１、１３−２を、第２のゲート柱５は、受信部１５−１、１５−２を、それぞれ有している。一方、本実施例においては、第１のゲート柱３は、実施例１と同様に、発信部１３−１、１３−２を有しているが、第２のゲート柱５は、実施例１とは異なり、発信部１３−３、１３−４を有している。第２のゲート柱５が、発信部１３−３、１３−４を有する位置は、実施例１における受信部１５−１、１５−２の位置と同じである。
【００７７】
また、ゲートシステム３０は、受信部３５−１、３５−２を、それぞれ、廊下側については廊下の天井に、部屋側については部屋の天井に、有する。受信部３５−１は、発信部１３−１、１３−２が発信する輻射波によって動作するＲＦＩＤタグ７が発信する検知波を受信する。また、受信部３５−２は、発信部１３−３、１３−４が発信する輻射波によって動作するＲＦＩＤタグ７が発信する検知波を受信する。
【００７８】
このように、受信部を第１のゲート柱３、第２のゲート柱５から分離して配置することによって、人が最も通過すると予想される位置に受信部を配置することができる。よって、より確実にＲＦＩＤタグ７が設置される管理カード９を有する人の移動を管理することができる。
【実施例４】
【００７９】
本実施例におけるゲートシステム４０の図１におけるＸ−Ｘ断面に相当する断面図を図１３に示す。前述の実施例１〜３においては、各ゲート装置は、第１のゲート柱３及び第２のゲート柱５を有していた。本実施例におけるゲート装置４０は、第１のゲート柱３のみを有している。第１のゲート柱３の構成については、実施例１と同様である。
【００８０】
また、ゲートシステム４０は、実施例３と同様の受信部３５−１、３５−２を有している。
【００８１】
このように、ゲートシステム４０では、第２のゲート柱５を必要とせず、第１のゲート柱３のみで、境界面Ｐ１を通過する人の移動を管理することができる。よって、受信ゲート５を配置するスペースがないような狭い場所、例えば、廊下の突き当たりに部屋への入り口が設けられている場所であっても、確実にＲＦＩＤタグ７が設置される管理カード９を有する人の移動を管理することができる。
【実施例５】
【００８２】
本実施例におけるゲートシステム５０の図１におけるＸ−Ｘ断面に相当する断面図を図１４に示す。前述の実施例３においては、発信部１３−１〜４は、それぞれ、輻射波を境界面Ｐ１とは平行でない方向へ発信することとした（図８参照）。
【００８３】
一方、本実施例においては、発信部１３−１〜４は、それぞれ、輻射波を境界面Ｐ１とは平行でない方向で、かつ、ＲＦＩＤタグ７が、例えば、廊下側の発信部１３−１が発信した輻射波を受信してから、部屋側の発信部１３−２が発信した輻射波を受信するまでの時間が、ＲＦＩＤタグを利用したシステムにおける検知波の一般的なスキャン間隔以上となる方向（矢印ａ５１〜ａ５４方向）に、輻射波を発信する。なお、ＲＦＩＤタグを利用したシステムにおける検知波の一般的なスキャン間隔としては、出願時において、約０．４秒である。
【００８４】
発信部１３−１〜４が、このような方向へ輻射波を発信することによって、発信部１３−１〜４の検知領域Ｒ１〜Ｒ４において一般的にＲＦＩＤタグ７が輻射波を受信し検知波を発信する位置から、発信部１３−２の検知領域Ｒ２において一般的にＲＦＩＤタグ７が輻射波を受信し検知波を発信する位置までの距離ｄを長くすることができる。よって、より確実にＲＦＩＤタグ７が設置される管理カード９を有する人の移動を管理することができる。
【００８５】
［その他の実施例］
（１）前述の実施例１においては、第１のゲート柱３の斜面Ｌ１、Ｌ２に発信部１３−１、１３−２を、第２のゲート柱５の斜面Ｌ３、Ｌ４に受信部１５−１、１５−２を、それぞれ配置した。しかし、各斜面Ｌ１〜Ｌ４に複数の発信部、受信部を設けるようにしてもよい。斜面毎に複数の発信部、受信部を設けることによって、より確実にＲＦＩＤタグ７を輻射波によって駆動できるとともに、より確実にＲＦＩＤタグ７からの検知波を検知することができる。実施例２〜実施例５についても同様である。
【００８６】
（２）前述の実施例１においては、管理装置２１の動作をソフトウェアによってＣＰＵ２１１を制御することによって実現することとした。しかし、管理装置２１の動作をハードウェアロジック回路等の組み合わせによって実現するようにしてもよい。
【００８７】
（３）前述の実施例１においては、ＲＦＩＤタグ７の移動の判断にあたり、管理テーブルを用いることとしたが、管理テーブルを用いなくてもよい。例えば、受信部の検知ログを解析するようにしてもよい。
【００８８】
また、管理テーブルを用いるとしても、受信部１５−１、１５−２がどの順番でＲＦＩＤタグ７からの検知波を検知したのかを解析できるものであれば、例示のものに限定されない。
【００８９】
（４）実施例２においては、第１のゲート柱３及び第２のゲート柱５に、発信受信部２３−１〜４を設けることとしたが、第１のゲート柱３若しくは第２のゲート柱５に設けるようにしてもよい。
【００９０】
（５）実施例３においては、受信部３５−１、３５−２を部屋若しくは廊下の天井に設けることとしたが、ＲＦＩＤタグ７からの検知波を検知できる位置であれば、例示の場所に限定されない。
【００９１】
（６）前述の実施例４において、第１のゲート柱３に対抗する廊下の壁に電波吸収体を設置するようにしてもよい。電波吸収体を設置することによって、壁からの反射を抑えることができるので、誤検知を防止することができる。
【００９２】
（７）実施例５においては、実施例３に基づいて発信部１３−１〜４の輻射波の発信方向を示したが、実施例１〜実施例４に適用するようにしてもよい。
【図面の簡単な説明】
【００９３】
【図１】本発明における識別手段管理装置の実施例１に係るゲートシステム１を示す図である。
【図２】図１におけるＸ−Ｘ断面を示した図である。
【図３】管理装置２１のハードウェア構成を示した図である。
【図４】入退室ログのデータ構造を示した図である。
【図５】ゲートシステム１の動作を説明するためのシーケンス図である。
【図６】管理テーブルのデータ構造を示した図である。
【図７】入退室処理のフローチャートである。
【図８】入退室処理の具体例を説明するための図である。
【図９】入退室処理の具体例を説明するための図である。
【図１０】管理テーブル維持管理処理のフローチャートである。
【図１１】本発明における識別手段管理装置の実施例２に係るゲートシステム２０を示す図である。
【図１２】本発明における識別手段管理装置の実施例３に係るゲートシステム３０を示す図である。
【図１３】本発明における識別手段管理装置の実施例４に係るゲートシステム４０を示す図である。
【図１４】本発明における識別手段管理装置の実施例５に係るゲートシステム５０を示す図である。
【図１５】従来の識別手段管理装置を説明するための図である。
【符号の説明】
【００９４】
１、２０、３０、４０、５０・・・・・ゲートシステム
２・・・・・ゲート
３・・・・・第１のゲート柱
５・・・・・第２のゲート柱
７・・・・・ＲＦＩＤタグ
９・・・・・管理カード
１３−１、２・・・・・発信部
１５−１、２・・・・・受信部
２１・・・・・管理装置
Ｐ１・・・・・境界面
Ｒ１〜Ｒ４・・・・・検知領域
２３−１〜４・・・・・発信受信部
Ｒ２１〜Ｒ２４・・・・・検知領域
１３−３、４・・・・・発信部
３５−１、２・・・・・受信部
【図１】
2009271565.tif 000003
【図２】
2009271565.tif 000004
【図３】
2009271565.tif 000005
【図４】
2009271565.tif 000006
【図５】
2009271565.tif 000007
【図６】
2009271565.tif 000008
【図７】
2009271565.tif 000009
【図８】
2009271565.tif 000010
【図９】
2009271565.tif 000011
【図１０】
2009271565.tif 000012
【図１１】
2009271565.tif 000013
【図１２】
2009271565.tif 000014
【図１３】
2009271565.tif 000015
【図１４】
2009271565.tif 000016
【図１５】
2009271565.tif 000017